(57)【要約】【課題】施工時に、トイレ空間という狭い空間での開梱作業を容易とした便座装置の梱包容器を提供すること。【解決手段】便座及び／又は便蓋と、便座及び／又は便蓋を回動自在に支持する装置本体とから成る便座装置を梱包するための梱包容器であって、該梱包容器は、便座装置の外周部及び底部を支える緩衝材と、前記便座装置と緩衝材を収める箱本体とで構成し、前記緩衝材の側部に把持部材を設けるとともに、前記側部に設けた折り加工部で前記側部上部を外側に展開可能であって、前記便座装置の収納状態において、前記折り加工部が前記便座装置の底部より高い位置に構成した。【選択図】  図８
2005001682.tif 000002
【特許請求の範囲】
【請求項１】
便座及び／又は便蓋と、便座及び／又は便蓋を回動自在に支持する装置本体とから成る便座装置を梱包するための梱包容器であって、該梱包容器は、便座装置の外周部及び底部を支える緩衝材と、前記便座装置と緩衝材を収める箱本体とで構成し、前記緩衝材の側部に把持部材を設けるとともに、前記側部に設けた折り加工部で前記側部上部を外側に展開可能であって、前記便座装置の収納状態において、前記折り加工部が前記便座装置の底部より高い位置に構成されていることを特徴とする便座装置の梱包容器。
【請求項２】
前記緩衝材には、前記展開時に前記便座装置を取り出すための切り欠き穴を前記側部と底部に設けていることを特徴とする請求項１記載の便座装置の梱包容器。
【発明の詳細な説明】
【０００１】
【発明の属する技術分野】
本発明は、便座装置を梱包する梱包容器に係わる。
【０００２】
【従来の技術】
従来の便座装置を梱包する梱包容器は、例えば段ボールで形成された箱本体と、上端が開口された発泡スチロールなどの緩衝材１、２とから構成したものがあった（特許文献１参照）。この従来の梱包容器では、箱本体は、底部が閉塞され、上端が開口した方形の箱状に形成されている。箱本体の開口部の各縁にはフラップ状の４つの舌片が連設されている。
前側緩衝材内に保護袋で包んだ便座装置の便座・便蓋の先端部分を収納し、後側緩衝材内に便座装置の本体部分を収納して、この前側緩衝材及び後側緩衝材で便座装置を挟み込むようにして箱本体内に収納する。次に、残りの舌片を箱本体の内部に開口縁で折り曲げる。これにより、便座装置が梱包容器に収納される。
【０００３】
また、製品自体を取り出しやすくした梱包容器としては、取っ手構造を設けて、緩衝部材と製品を取り出せるようにしたものもあった（特許文献２）。
【０００４】
【特許文献１】
実開平６−７１４７４号公報（第６図）
【特許文献２】
特開２００１−３１０６５号公報（第１図）
【０００５】
【発明が解決しようとする課題】
しかし、例えば特許文献１にあるような梱包容器の場合には、２つの前側緩衝材、後側緩衝材で挟み込んでの収納なために、前側緩衝材若しくは後側緩衝材が製品から外れないよう注意して、箱本体へ収納しなければならず、作業がしにくかった。
また、施工時に箱から取り出す際にも、前側緩衝材若しくは後側緩衝材単独で箱本体から取り出すことができず取り出しにくく、箱から取り出した後、床などに仮置きして緩衝材を製品から外す際に製品を抱えて無ければならず、１人での作業はきわめてやりづらかった。無理に１人で作業をしようとすれば、床などに仮置きした状態で緩衝材を引張り製品から外すことになるが、この場合には緩衝材から外れた製品が床へ落ち底部にある突起物や配管等が傷つく恐れがあった。
【０００６】
また、例えば特許文献２にあるような梱包容器の場合でも、製品の取り出しを容易とする工夫はされているが、製品取り出し後の取っ手を有する部材が、便座装置を設置され、一般には十分な施工スペースを確保できないトイレ空間では、部材を展開してしまうと邪魔になってしまう恐れがあった。また、この取っ手は、箱から製品を取り出すまでの補助的な役割に過ぎず、箱から取り出した状態での移動には、不向きであった。
【０００７】
本発明は上記のような事情を考慮してなされたものであり、その目的は、トイレ空間という狭い空間での開梱作業を容易とした便座装置の梱包容器を提供することである。
【０００８】
【課題を解決するための手段】
上記課題を解決するため、本発明の請求項１では、便座及び／又は便蓋と、便座及び／又は便蓋を回動自在に支持する装置本体とから成る便座装置を梱包するための梱包容器であって、該梱包容器は、便座装置の外周部及び底部を支える緩衝材と、前記便座装置と緩衝材を収める箱本体とで構成し、前記緩衝材の側部に把持部材を設けるとともに、前記側部に設けた折り加工部で前記側部上部を外側に展開可能であって、前記便座装置の収納状態において、前記折り加工部が前記便座装置の底部より高い位置に構成した。これにより、取っ手を持って緩衝体と製品を同時に引き出して床等に仮置きすることができ、側部を展開する際に、側部の一部を展開することにより、展開面積を小さくでき、狭い空間でも作業が可能となる。
【０００９】
また、請求項２では、請求項１の発明に加え、前記緩衝材には、前記展開時に前記便座装置を取り出すための切り欠き穴を前記側部と底部に設けた。これにより、側部を一部展開しても、製品の取り出しが容易になる。
【００１０】
【発明の実施の形態】
以下、図面を参照して本発明の実施形態を説明する。
【００１１】
図１は便座装置Ａを包装する、本発明の梱包容器の斜視図である。
梱包容器は、緩衝材Ｂ１、Ｂ２、Ｂ３にて構成する機能部緩衝材Ｂ、緩衝材Ｃ１、Ｃ２（２個）にて構成する前方緩衝材Ｃ、傷防止部材Ｄ、包装箱Ｅで構成される。本発明では機能部緩衝材Ｂ、前方緩衝材Ｃ、傷防止部材Ｄ、包装箱Ｅの材料はダンボール材（紙）を使用しているが、これに限らず例えばプラスチック・ダンボール材等でも応用が可能である。
【００１２】
便座装置Ａは局部洗浄機能を持ち、給水源からの水を温水にする熱交換ユニットや温水を局部へ噴出するノズル、使用後局部の洗浄水を乾かす乾燥ユニット、制御を行うコントローラ等（図示せず）の機能部を収納するケーシング、便蓋、便座を有している。
機能部緩衝材Ｂは、前記機能部を支える土台であり、前方緩衝材Ｃは前記便座を支える緩衝材である。傷防止部材Ｄは、梱包開封時、カッターを使用して封函テープを切る場合、製品に傷を防止するための保護部材の役目と天面よりの落下衝撃を緩衝させる緩衝材の役目となっている。包装箱Ｅ内に、前記緩衝部材と局部洗浄便座装置Ａを収納する。包装箱Ｇは、封函テープ（図示せず）にて封函する。
【００１３】
図２に、本発明の傷防止部材の展開図と組立斜視図を示す。
図２の（ａ）は、本発明の傷防止部材Ｄの展開図であり、図２の（ｂ）は、傷防止部材Ｄの組立斜視図である。展開図は矢視ｆから見た展開図であり、折り線指示は展開図に向かって谷折りについては破線で、山折りついては一点鎖線で示している。破線は、Ｎｏ．＋ａ（例：１ａ）で、一点鎖線は、Ｎｏ．＋ｂ（例：１ｂ）で採番をしている。折る場合は、隣合う面と垂直に折り線を使い折り、垂直に折る以外は逐次説明をする。
【００１４】
傷防止部材Ｄの組立手順としては、面３を面２に当接するように折り線３ａで折り、面４を折り線４ｂで折り、面５を折り線５ｂで略三角形状の頂点になるよう折り線６ａと折り線３ａが当接するように折る。面６を面５と当接するように折り線６ａで折り、面６に形成されているロック片６ｄを折り線６ａ’で折り、面２に形成されている穴２ｅにロック片６ｄを挿入することにより、面２と面６の開きを固定する。面２を折り線２ｂで折り、面７を折り線７ｂで折り完成する。
【００１５】
略三角形状の面２及び面６が固定されていないため、材料の反力で開いてしまい、略三角形状を保てないが、これは、収納の際に便座装置Ａの便座・便蓋とケーシングの隙間に挿入され、その反力により便座装置Ａと傷防止部材Ｄを取り付ける構造としているためである。この構造によって、便座・便蓋とケーシングの隙間の緩衝材として役割と、前記反力によって取付が可能となり、複雑な形状をせずに取付と緩衝材の２つの役割を持たすことができる。
【００１６】
次に前方緩衝材Ｃの側面の緩衝材Ｃ２の組立手順を、図３を用いて説明する。
図３の（ａ）は、緩衝材Ｃ２の内面展開図であり、図３の（ｂ）は、緩衝材Ｃ２の組立斜視図である。前方緩衝材Ｃは緩衝材Ｃ２を２個使用している。
手順として面１０を折り線１０ａで折り、面１１を折り線１１ａで折り、面１２を折り線１２ａで折り、面１３を折り線１３ａで折ると、面１０が面１４に当接する。
面１４に形成されたロック片１４ｄ（２箇所）を折り線１４ａ’で折り、面１０に形成された切り欠き穴１０ｃ（２箇所）にロック片１４ｄを係合することにより固定する。よって断面略方形の緩衝材が完成する。
【００１７】
面１５を折り線１５ａで折り、面１５が面１４に当接するように、面１６、面１７、面１８を夫々折り線１６ａ、１７ａ、１８ａで折る。面１４に形成されたロック片１４ｄ（２箇所）を折り線１４ａ’’で折り、面１５に形成された切り欠き穴１５ｃ（２箇所）にロック片１４ｄが係合することにより固定する。よって断面略台形の緩衝材が完成し、前方緩衝材Ｃの側面の緩衝材Ｃ２が完成する。
【００１８】
次に前方緩衝材Ｃの先端の緩衝材Ｃ１の組立手順を、図４を用いて説明する。
図４の（ａ）は緩衝材Ｃ１の内面展開図であり、図４の（ｂ）は緩衝材Ｃ１の組立斜視図である。
先端緩衝材Ｃ１は左右の側面緩衝材Ｃ２の連結部材としての役割を持っている。
手順として、面３０を面３１に当接するように、折り線３０ａで折り、面３１を折り線３１ａで折り、面３２を折り線３２ａで折る。その際、面３０と面３３が当接し、面３０に形成された穴３０ｅと、面３１に形成された穴３１ｅと、面３３に形成された穴３３ｅが連通するように構成される。面３３を折り線３３ａで折り、面３４を折り線３４ａで折ると、面３５と面３１が当接される。
面３５を折り線３５ａでおり、面３７に形成されているロック片３７ｄを折り線３７ａ’で折ることにより立ち上げ、面３６を折り線３６ａで折ることより、前記切り欠き穴３０ｅ、３１ｅ、３３ｅにロック片３７ｄが挿入されることにより固定する。
【００１９】
次に、先端の緩衝材Ｃ１に側面の緩衝材Ｃ２を取付手順を説明する。先端の緩衝材Ｃ１の面３７と、側面の緩衝材Ｃ２の面１８を当接させつつ、夫々の先端の緩衝材Ｃ１の切り欠き３５ｃと側面の緩衝材Ｃ２の切り欠き１８ｃを係合させる。
先端の緩衝材Ｃ１の面３７に形成されているロック片３７ｄ’を折り線３７ａ’’で折ることにより、側面の緩衝材Ｃ２の面１８に形成されている切り欠き穴１８ｅにロック片３７ｄ’が挿入されることにより仮固定する。
【００２０】
そして、先端の緩衝材Ｃ１の面３７を折り線３７ａで折ることにより立ち上がり、面３９を折り線３９ａ折り、面４０を折り線４０ａで折ることにより面３６と面４０が当接し、面４０に形成されているロック片４０ｄが、対応する側面の緩衝材Ｃ２の面１７に形成されている切り欠き穴１７ｅにロック片４０ｄが挿入されることにより固定する。よって先端緩衝材Ｃ１と側面緩衝材Ｃ２が係合し、前方緩衝材Ｃが完成する。
【００２１】
次に、機能部緩衝材Ｂの背面の緩衝材Ｂ２の組立手順を、図５を用いて説明する。
図５の（ａ）は、緩衝材Ｂ２の内面展開図であり、図５の（ｂ）は、緩衝材Ｂ２の組立斜視図である。２箇所の面５０、面５１、面５２、面５３、方形の筒形状を構成するように、夫々の折り線５０ａ、５１ａ、５２ａで折る。前記形状を保ちつつ、面５３を折り線５３ａで折ることにより、面５０と面５４が当接され、面５４に形成されたロック片５４ｄを折り線５４ａ’で折り、面５０に形成されている切り欠き５０ｃにロック片５４ｄが係合することにより固定する。
【００２２】
中央部の下側緩衝部の組立を説明する。面５５を折り線５５ａで折り、面５６を折り線５６ａで折り、面５７を折り線５７ａで折ると、自動的に面５８が折り線５８ａと折り線５８ｂによって折られ、面５９が折り線５９ａによって折られる。その際、面５９と面６０が当接する。面６０を折り線６０ａで折ることにより面６０と面５５が当接する。面５４に形成されたロック片５４ｄ’’  を折り線５４ａ’’’で折り、面５５に形成されている切り欠き穴５５ｅにロック片５４ｄ’が係合することにより固定する。
【００２３】
中央部の上側緩衝部の組立を説明をする。面６１を折り線６１ａで折り、面６２を６２ａで折る、便座装置の付属部品を入れるための仕切りとして、面６０を折り線６０ａで折り、面６０を立ち上げる（２箇所）。面６３を折り線６３ａで折ると、自動的に面６４、面６５、面６６、面６７が夫々折り線６４ａ、６４ｂ、６５ａ、６５ｂ、６６ａ、６７ａにより折られる。その際、面６６と面６８が当接する。面６８に形成するロック片６８ｄを折り線６８ａ’で折り、面６１に形成する切り欠き穴６１ｅにロック片６８ｄが係合することにより固定する。面６８を折り線６８ａに折ることにより、面６２と面５４が当接し、面６３に形成するロック片６３ｄが面５４に形成する５４ｅに挿入する。面５４に形成するロック片５４ｄ’を折り線５４ａ’’で折り、面６２に形成する切り欠き６２ｃと係合するこよにより固定する（２箇所）。よって、背面緩衝材Ｂ２が完成する。
【００２４】
次に機能部収納面８２を形成する、底部の緩衝材Ｂ１の組立手順を、図６を用いて説明する。図６は上面からみた底部の緩衝材Ｂ１の展開図である。
便座装置後端の土台として、面８０を折り線８０ｂで折り、面８１を折り線８１ｂで折る、ロック片８０ｄが切り欠き穴８２ｅに挿入されることにより、土台が完成する。
【００２５】
側面の先端緩衝部の組立手順を説明する。面８３を折り線８３ｂで面８３と面８４が当接するように折り、面８４と面８５を折り線８４ｂと折り線８５ｂで折り、面８６に形成されているロック片８６ｄを折り線８６ｂ’で折り、面８３に形成されている切り欠き穴８３ｅに挿入することにより固定する。面８３、面８４、面８５で断面略三角形状の緩衝材となる。
【００２６】
把持部材の組立を説明する。把持部材の面８７を面８８に当接するように折り線８７ｂで折り、ロック片８７ｄを折り線８７ｂ’で折り、面８８に形成された切り欠き穴８８ｅにロック片８７ｄを挿入することにより固定する。
【００２７】
先端緩衝部の組立手順を説明する。面９０を折り線９０ａにて折り、面８９を折り線８９ｂで折ると、自動的に面９１、面９２が折り線９１ｂ、９２ａ、９２ｂによって折れる。面９３を折り線９３ｂで折り、面９４を面８２に当接するように面９４を折り線９４ａで折る。よって面８９、面９３、面９４にて箱形状となり、その形状を保持しつつ、側面の緩衝材の面９５を折り線９５ａで折り立ち上げると、切り欠き８５ｃに面９０が入り込み、さらに、面９６を面９２と当接するように折り曲げることにより、固定させる。
【００２８】
便座装置の電源プラグの収納部の組立手順を説明する。先端緩衝部に連接する、面９８を折り線９８ｂで折り、機能部収納面８２の下側に垂れ下げる。面９８に形成された切り欠き穴９８ｅに便座装置を収納の際に電源プラグを挿入し固定する（図９参照）。
【００２９】
図７は緩衝材Ｂ、Ｂ２、Ｂ３を取り付け手順を示す斜視図である。機能部緩衝材Ｂの組立手順を説明する。
底部の緩衝材Ｂ１の機能部収納面８２の底側に６箇所と、上面２箇所に緩衝材Ｂ３を取り付ける。取り付け方法としては、接着材により固定又は、差込方式でも構わない。
緩衝材Ｂ３は、包装箱Ｅの内面と便座装置Ａに緩衝空間を構成するための部材であり、また、それ自体が緩衝材としての役割を持っている。
緩衝材Ｂ３は、発泡スチロールで形成しても良く又、シート状に形成した緩衝材（段ボールでも可）を折り畳み接着して形成しても良い。
緩衝材Ｂ２の取り付け手順として、緩衝材Ｂ２に形成してる差込片５７ｄと、緩衝材Ｂ１の収納面８２に形成した切り欠き穴８２ｅ’に挿入する。緩衝材Ｂ２の面６７に緩衝材Ｂ１の面９９に形成した切り欠き９９ｃと、面１００に形成した切り欠き１００ｃを係合させ、固定する。よって、機能部緩衝材Ｂが完成する。
【００３０】
収納手順を図１及び図８にて説明する。
便座装置Ａを機能部緩衝材Ｂの収納面８２に収納させる。包装箱Ｅに前方緩衝材Ｃを所定位置に収納し、局部洗浄便座装置Ａと機能部緩衝材Ｂを包装箱Ｇに収納する。便座、便蓋を前方緩衝材Ｃの収納位置面に収納する。傷防止部材Ｄの前述のように、略三角形状の緩衝部を便蓋とケーシングの間に取り付け固定する。包装箱Ｇを封函テープ（図示せず）にて封函する。その際、把持部材は折り線８８ｂで折り収納する。
【００３１】
図９は、便座装置を取り出す際の手順を示す概略図である。図８は緩衝材Ｂの組立完成図である。
封函テープをはずし、傷防止部材Ｄをはずす。便座、便蓋を開状態にして、機能部緩衝材Ｂの把持部材を使い、機能部緩衝材Ｂと局部洗浄便座装置Ａを包装箱Ｅより取り出す。底面の緩衝材Ｂ３により、機能部収納面８２は床面より一定高さｊを確保される。側面の緩衝部は、矢印ｈの方向へ展開可能であるが、展開用の折れ線８６ｂが、収納面８２より高い位置に形成されているため、展開時の展開面積が少なく、場所を取らない
また、便座装置を取り出しやすいように、側部の緩衝部と機能部収納面８２には、切り欠き穴９５ｅを設けており、又、緩衝材Ｂ３により、機能部収納面が床面より一定高さｊ分高くなっているため、便座装置の底部を持ち取り出すことが可能となる。
【００３２】
図１０は、収納状態のを示す概略図である。
持ちやすくするために、包装箱Ｅの四面に取っ手穴を設け、長手方向の取っ手穴Ｅ１は縦持ちを可能とするように、取っ手穴Ｅ２とは、９０°回転した形状となり、また、機能部を下にして持つことにより持ちやすくしている。
【００３３】
【発明の効果】
以上梱包装置の実施の形態を詳細に説明したが、その効用を列記すると以下のようになる。
機能部緩衝材Ｂの側面に把持部材が設けられているので、製品である局部洗浄便器装置Ａの包装箱Ｅへの収納及び、包装箱Ｅからの取り出しが容易になった。また、機能部緩衝材Ｂごと、床に仮置きできるため、局部洗浄便器装置Ａの底面や配管部材に傷がつかず、施工現場の床面に傷をつけることがなく、機能部緩衝材Ｂの側面体２Ｂが外側に展開が可能であり、展開用折れ線が収納面より高い位置にあるため、展開後の面積が少なくなる。トイレ空間という狭いところでも、展開が可能となる。また、側面部と収納部に切り欠き穴を設けているので、局部洗浄便器装置Ａを上方に持ち上げる際に局部洗浄便器装置Ａの底面をつかむ事が容易となった。
【図面の簡単な説明】
【図１】本発明の斜視図
【図２】本発明の傷防止部材の展開図と組立斜視図
【図３】本発明の緩衝材Ｃ２の展開図と組立斜視図
【図４】本発明の緩衝材Ｃ１の展開図と組立斜視図
【図５】本発明の緩衝材Ｂ２の展開図と組立斜視図
【図６】本発明の緩衝材Ｂ１の展開図
【図７】本発明の機能部緩衝材Ｂの組立説明図
【図８】本発明の機能部緩衝材Ｂの組立完成図
【図９】本発明の開梱手順（１）
【図１０】本発明の収納状態の説明図
【符号の説明】
Ａ…便座装置、
Ｂ…機能部緩衝材、
Ｃ…前方緩衝材、
Ｄ…傷防止部材、
Ｅ…包装箱
【図１】
2005001682.tif 000003
【図２】
2005001682.tif 000004
【図３】
2005001682.tif 000005
【図４】
2005001682.tif 000006
【図５】
2005001682.tif 000007
【図６】
2005001682.tif 000008
【図７】
2005001682.tif 000009
【図８】
2005001682.tif 000010
【図９】
2005001682.tif 000011
【図１０】
2005001682.tif 000012